(57)【要約】  高設基台上に懸架された半透性材料から作られたテントを有することにより、ユーザが内部に入る封包体を作り出す空気浄化ベッドテントを開示する。テントの頂部は空気浄化置と接続されて、浄化された空気を封包体内に放出し、ユーザのために局所的な清浄空気領域を作り出す。絶えず供給される清浄な空気によって封包体内に加えられる正の圧力差は、複数の開口部を通して、主に高設基台の周りの半透性材料の折り目を通して清浄な空気を排出する。もし、縁部の覆いが完全に密閉されていれば、半透性材料はよりきれいな空気を放出し、安定した使い易い操作を保障することになる。【選択図】図1
2019522768.tif 000002
【特許請求の範囲】
【請求項１】
少なくとも部分的に半透性の可撓性材料から作られ、前記材料が基台（２）を封包して封包空間を作り出すように前記基台の上方に懸架されうるテント（１）と、
前記テント内に配置され、前記封包空間の外部に配置された空気入口（７５）、および前記封包空間の内部に配置された空気出口（８６）を含む空気浄化装置（３，１９，３９，３０，７０）と
を含み、
前記封包空間が清浄な空気で満たされるように、空気が前記テントの外部から前記空気浄化装置を通過して前記封包空間に流入する、空気浄化テント。
【請求項２】
前記テントが前記空気浄化装置から下方に延びて前記基台を封包するように、前記空気浄化装置内に固定された懸架装置（８）を含む、請求項１に記載の空気浄化テント。
【請求項３】
前記空気浄化装置（３，１９，３９，３０，７０）は上側（７３）および下側（７４）を含み、前記空気入口は、空気が前記入口に入り、前記空気浄化装置において略垂直下方に流れ、前記装置の前記下側で前記空気浄化装置を出るように、前記空気浄化装置の前記上側に配置される、請求項１または２に記載の空気浄化テント。
【請求項４】
前記テントは、一人または複数のユーザが前記封包体に入ることができる閉鎖可能な一または複数の開口部（２５）を有する、請求項１〜３のいずれか一項に記載の空気浄化テント。
【請求項５】
前記空気浄化装置（３，１９，３９，３０，７０）は、フィルタ（５，３６，８３）と、ファン（４，７７）または送風機と、それらを保持する構造（６，７２）とを含む、請求項１〜４のいずれか一項に記載の空気浄化テント。
【請求項６】
前記フィルタ（５，３６，８３）は、前記ファン（４，７７）または送風機の下流に配置される、請求項５に記載の空気浄化テント。
【請求項７】
前記フィルタ（５，３６，８３）は、ガス状汚染物質を吸着するための活性炭要素を含む、請求項５または６に記載の空気浄化テント。
【請求項８】
前記空気浄化装置（７０）は、前記空気浄化装置を通過する空気中の粒子を帯電させる粒子帯電要素（７８）と、前記フィルタの粒子捕捉効率を高めるように適合されたフィルタ（８３）とを含む、請求項１〜７のいずれか一項に記載の空気浄化テント。
【請求項９】
前記空気浄化装置の前記エアフィルタ（８３）は、前記空気出口を封包し前記空気浄化装置から前記封包空間の内部に延びる粒子フィルタバッグとして実現される、請求項５または８に記載の空気浄化テント。
【請求項１０】
前記粒子帯電要素（７８）は、前記フィルタの上流に配置されたイオン化装置から構成され、前記イオン化装置はコレクタ電極（７９）およびエミッタ電極（８０）を備え、前記コレクタ電極は、前記空気浄化装置内に延びる空気通路（７６）の周りに配置されており、前記エミッタ電極は前記空気通路の中心に配置される、請求項８に記載の空気浄化テント。
【請求項１１】
前記空気浄化装置は、前記イオン化装置およびファンに電力を供給するためのバッテリまたは手段を含む、請求項８〜１０のいずれか一項に記載の空気浄化テント。
【請求項１２】
前記半透性材料は、天然または合成の繊維生地から作られる、請求項１〜１１のいずれか一項に記載の空気浄化テント。
【請求項１３】
前記半透性材料は、空気が前記材料を通過できるように設計され、前記材料は速度１０ｃｍ／ｓで０．１〜１０パスカルの範囲内にある空気抵抗値を有する、請求項１〜１２のいずれか一項に記載の空気浄化テント。
【請求項１４】
前記空気浄化装置（３，１９，３９，３０，７０）を囲む前記テントの領域は、前記空気浄化テントにおける清浄な空気の短絡を防止するために前記テントの残りの部分より透過性の低い材料から構成される、請求項１〜１３のいずれか一項に記載の空気浄化テント。
【請求項１５】
前記一または複数の開口部は、摺動して離れないのに十分な摩擦を有して重なり合うテント側面を使用して閉鎖することができる、請求項４に記載の空気浄化テント。
【請求項１６】
前記一または複数の開口部は、前記テントを持ち上げるときに作り出され、前記テントが下げられるときに再び閉鎖される、請求項４に記載の空気浄化テント。
【請求項１７】
前記一または複数の開口部は、前記テントに取り付けられた磁石を使用して閉鎖され得る、請求項４に記載の空気浄化テント。
【請求項１８】
前記一または複数の開口部は、面ファスナバンドを使用して閉鎖され得る、請求項４に記載の空気浄化テント。
【請求項１９】
前記一または複数の開口部は、ファスナを使用して閉鎖され得る、請求項４に記載の空気浄化テント。
【請求項２０】
前記一または複数の開口部は、ボタンおよび穴を使用して閉鎖され得る、請求項４に記載の空気浄化テント。
【請求項２１】
前記一または複数の開口部は、ポップボタンを使用して閉鎖され得る、請求項４に記載の空気浄化テント。
【請求項２２】
前記テントは単一の天井フックに懸架されうる、請求項１に記載の空気浄化テント。
【請求項２３】
前記テントは複数の天井および壁のフックに懸架されうる、請求項１に記載の空気浄化テント。
【請求項２４】
前記テントは、前記基台に固定された複数の垂直ポールに懸架されうる、請求項１に記載の空気浄化テント。
【発明の詳細な説明】
【技術分野】
【０００１】
本発明は、概して室内空気清浄機の分野に関し、より具体的には、基台上に懸架されて、基台上にユーザのための清浄空気領域を作り出す空気浄化システムに関する。
【背景技術】
【０００２】
空気清浄機は、花粉およびペットのアレルギー、喘息、ならびに埃過敏症のような呼吸器の健康問題を緩和するのに役立つとして長く知られてきた。有害なＰＭ２．５微粒子、例えば燃焼エンジンおよび石炭燃焼から生じる副生成物は、身体にさらに入り込み悪影響を与える。小粒子は肺と血液との間の障壁を通過し、人体の種々の部位に運ばれて蓄積する。ＰＭ２．５に長期間晒されると、地域社会における病院受診回数、ならびに肺癌、呼吸器疾患、および循環器疾患による死亡率（Ｈｅａｌｔｈ  ｅｆｆｅｃｔｓ  ｏｆ  ｐａｒｔｉｃｕｌａｔｅ  ｍａｔｔｅｒ、ＷＨＯ、２０１３）の両方に実質的な影響が及ぶ。
【０００３】
最も効果的な空気清浄機は、これらのＰＭ２．５粒子を室内空気から濾過して取り除き、呼吸器系に到達するのを防ぐ。機械的濾過、静電濾過、または機械的濾過と静電濾過との組み合わせを含むいくつかの相異なる種類の空中浮遊粒子濾過技術がある。従来技術において揮発性有機化合物などの不要ガスを除去する方法として知られているのは、物理吸着、光触媒酸化、化学吸着、および表面酸化である。
【０００４】
従来技術において明確に文書化されている機械的濾過空気清浄機は通常、濾過要素、例えばＨＥＰＡ不織繊維フィルタと、フィルタに汚れた室内空気を通過させるファンまたは送風機と、フィルタおよびファンを保持するハウジングとを含む。汚れた空気がフィルタを通過すると、浮遊粒子がフィルタ繊維表面に捕捉され、粒子が減少した空気が再び室内に放出される。
【０００５】
フィルタの効率は、空気がフィルタを通過する際にフィルタの両側で粒子を数えることにより計算される。しかしながら、部屋全体での粒子の低減のためには、フィルタ効率以外のものも考慮する必要がある。例えば部屋の大きさ、室内の粒子状物質源の数とタイプ、部屋の換気回数、および空気清浄機の気流といった、粒子過剰から部屋を守る際のいくつかの重要な因子がある。空気清浄機は、１時間に数回、部屋の空気量を処理する必要がある。これは、換気回数が多く、高出力の粒子状物質源が多い大きな部屋には、粒子レベルを低く抑えるために強力なファンおよび大きなフィルタ表面が必要とされることを意味する。
【０００６】
このような大きな空気清浄機は、大きな空間を占め、高い騒音レベルおよび高いエネルギー消費量を有する。したがって、ユーザ直近の空間における空気のみを浄化することが有益である。現代の人間は一日のうちかなりの時間をベッドで過ごすため、ベッド面の真上の容積中の空気を浄化することが好ましい。
【０００７】
従来技術において、空気処理装置がベッドの周りの不透過性封包体に接続されている空気浄化テント構造が知られている。テント（米国特許第６，５０８，８５０号、Ｋｏｔｌｉａｒ、２００３）を作り出す取組みにおいて、空気は濾過膜で覆われた開口部を通過してテント内に引き込まれる。記載された解決策では、部屋の床に置かれた空気処理装置が必要であり、また、汚い室内空気を吸い込まないように封包体を完全に密閉することが必要である。これにより、ユーザが封包体に入るための開口部を密封するためにかなりの労力が必要となる。さらに、密封された封包体は、ベッドの周りの空気を浄化するための技術的に実現可能な解決策ではあるが、通常の家電消費者にとっては扱いにくく大げさであり、家庭的で温かいインテリアには適さない可能性がある。
【先行技術文献】
【特許文献】
【０００８】
【特許文献１】米国特許第６，５０８，８５０号明細書
【非特許文献】
【０００９】
【非特許文献１】Ｈｅａｌｔｈ  ｅｆｆｅｃｔｓ  ｏｆ  ｐａｒｔｉｃｕｌａｔｅ  ｍａｔｔｅｒ、ＷＨＯ、２０１３
【発明の概要】
【発明が解決しようとする課題】
【００１０】
その結果、ベッドの周りに配置されることを意図した、複雑ではない清浄空気領域封包体が必要とされている。封包体および空気処理装置を家庭的で温かいインテリアに容易に合うように設計することも有益である。
【課題を解決するための手段】
【００１１】
本発明は、上述の欠点を少なくともある程度低減する空気浄化テントに関する。
【００１２】
本発明に係る空気浄化テントは、
半透性の可撓性材料から作られており、材料が基台を封包して封包空間を作り出すように高設基台の上方に懸架されるように意図されているテントと、
封包空間内に配置されており、封包体の外部に配置された空気入口、および封包体の内部に配置された空気出口を備える空気浄化装置と
を備えており、
封包空間が清浄な空気で満たされるように、空気がテントの外部から空気浄化装置を通過して封包空間に流入する空気浄化テント。
【００１３】
本発明に係る空気浄化テントは、高設基台の上方に浄化空気テントの形態の空気浄化システムを提供する。テントは、その側面が基台の側面の縁部を覆って封包体を作り出すように、基台上に懸架される。テントの頂部は、その空気入口を封包体の外部に有し、空気浄化装置が作動された場合に浄化された空気が封包体に連続的に供給されるように清浄空気出口を封包体の内部に有して、空気浄化装置を保持する。本発明の別の態様において、テントは、テント内の圧力が上昇するのを防止するために低圧力差で空気が通過することを可能にする半透性材料から構成される。特許請求の範囲に記載された空気浄化テントは、テントの複雑な設置が必要ではないため、例えばベッドの上方に非常に容易に懸架することができる。
【００１４】
清浄な空気は、空気浄化装置から封包体内に放出される。清浄な空気は、封包体の容積を満たし、複数の開口部を通過して放出される、すなわち、まずドレープされたテント側面の折り目を通過するだけでなく、完全密閉されていない閉鎖された入口開口部の周りの可能な穴を通過する。さらに、封包体が浄化された空気で連続的に満たされ、封包体の内圧が上昇すると、半透性封包体は空気を室内に放出し始める。複数の開口部および半透性封包体材料は、ユーザの取り扱いに影響されない堅牢かつ連続的な空気浄化性能を保証する。開口部は完全密閉されなくてもよく、封包体側面は基台の周りに気密嵌合されなくてもよい。清浄な空気は、空気浄化装置から開口部に移動し、清浄な呼吸空気をユーザに提供することになる。開口部が完全に密閉され、封包体側面が基台に対して適切に密閉された場合、清浄な空気が封包体を満たすことになる。わずかな正の空気圧が内部に蓄積することになるため、半透性封包体を通過して空気が放出され、再びユーザのための清浄な呼吸空気を保障する。さらに、封包体内部の正の圧力は、汚い室内空気が前記空気浄化装置以外を通過して封包体に入るのを妨げる。
【００１５】
一実施形態において、空気浄化テントは、テントが空気浄化装置から下方に延びて基台を封包するように、空気浄化装置内に固定された懸架装置を備える。本実施形態は、空気浄化装置の負荷が懸架装置により直接支持されて、空気浄化テントの構造がより簡素化されるため好ましい。懸架装置は、例えば、周囲の建物の壁または天井における一または複数のフックまたは支持構造により支持される。
【００１６】
空気浄化テントの一実施形態において、空気浄化装置は上側および下側を備え、空気入口は、空気が入口に入り、空気浄化装置において略垂直下方に流れ、装置の下側で空気浄化装置を出るように、空気浄化装置の上側に配置されている。この実施形態は、全体のサイズが小さく非常に効率の良い空気浄化装置を提供する。
【００１７】
空気浄化テントの一実施形態において、テントは、一人または複数のユーザが封包体に入ることができる一または複数の開口部を有する。一または複数の開口部は、ユーザおよび基台が半透性のテントに囲まれるように閉鎖され得る。
【００１８】
空気浄化テントの一実施形態において、空気浄化装置は、フィルタと、ファンまたは送風機と、それらを保持する構造とを備える。
【００１９】
空気浄化テントの一実施形態において、フィルタは、空気が封包空間に入る前の空気の効率の良い浄化を実現するために、ファンまたは送風機の下流に配置される。
【００２０】
空気浄化テントの一実施形態において、フィルタは、ガス状汚染物質を吸着するための活性炭要素を備える。
【００２１】
空気浄化テントの一実施形態において、空気浄化装置は、空気浄化装置を通過する空気中の粒子を帯電させる粒子帯電要素と、フィルタの粒子捕捉効率を高めるように適合されたフィルタとを備える。この実施形態は、帯電粒子がより効率良くフィルタに収集されるため、空気浄化をさらに改善する。
【００２２】
空気浄化テントの一実施形態において、空気浄化装置のエアフィルタは、空気出口を封包し空気浄化装置から封包体の内部に延びる粒子フィルタバッグとして実現される。フィルタバッグは、封包体内に垂下する高効率フィルタ媒体バッグから作られてもよい。なお、フィルタは、システム全体を分解することなく封包体の内部から交換することができるように設計することができる。
【００２３】
空気浄化テントの一実施形態において、粒子帯電要素は、フィルタの上流に配置されたイオン化装置から構成されており、イオン化装置はコレクタ電極およびエミッタ電極を備え、コレクタ電極は、空気浄化装置内に延びる空気通路の周りに配置されており、エミッタ電極は前記通路の中心に配置されている。この実施形態は、空気浄化装置を通過する空気中の粒子の非常に効率の良い帯電を実現する。
【００２４】
空気浄化テントの一実施形態において、空気浄化装置は、イオン化装置およびファンに電力を供給するバッテリまたは手段を備える。
【００２５】
本発明の好ましい実施形態において、半透性材料は、天然または合成の繊維生地であり、高品質の蚊帳またはベッド天蓋の機能と同様の可能性を作り出す。
【００２６】
空気浄化テントの一実施形態において、材料は、速度１０ｃｍ／ｓで０．１〜１０パスカルの範囲内の空気抵抗値を有する。
【００２７】
空気浄化装置を囲むテントの領域は、空気処理装置における清浄な空気の短絡を防止するためにテントの残りの部分より透過性の低い材料から構成されている、請求項１に記載の空気浄化テント。これは、清浄な空気が、基台上に居るユーザに向かって封包空間において下方に続くのではなく、空気浄化装置の領域において半透性材料を通過して循環する危険のため好ましい。空気浄化装置は、好ましくはテントの上側領域の頂部に配置されるため、テントの上側領域に低透過性材料が配置され、空気処理装置内の清浄な空気の短絡を防止する。
【００２８】
本発明の一実施形態において、封包体の入口開口部は、開口部の各側の壁が重なっている実施形態を用いて閉鎖される。なお、封包体材料の固有の摩擦は、従来のベッド蚊帳のように、各側面が摺動して離れるのを防止する。
【００２９】
本発明の他の実施形態において、封包体の入口開口部は、磁石、ファスナ、面ファスナバンド、ポップボタン、ならびにボタンおよび穴を用いて閉鎖されてもよい。
【００３０】
本発明の一実施形態において、テントの一部またはテント全体を持ち上げて、一人または複数のユーザが封包体に入ることができるようにしてもよい。
【００３１】
本発明の好ましい一実施形態において、封包体は、単一の天井フックと軽量のポールまたはパイプの構造とを用いてベッドの上に懸架され、清浄な封包体の上面および側面を形成する。
【００３２】
本発明の一実施形態において、封包体は、封包体の上面のいくつかの角部に紐体またはロープを使用して懸架される。紐体は天井または壁のフックに縛られる。それらは、基台に固定されたポール構造、例えばベッドポストに縛られてもよい。
【００３３】
本発明の更なる態様は、以下の説明に部分的に記載され、部分的にはその記載から明らかになるか、または本発明の実施によって習得されてもよい。
【図面の簡単な説明】
【００３４】
【図１】基台、保持構造を持つテント、および空気浄化装置の２次元概略側面図を示す。
【図２】図１と同じ概略図を示し、封包体を通過する気流の表示を加えてある。
【図３】図１に概略的に示されたテント内の空気浄化装置の第２の実施形態を示す。
【図４】基台、保持構造を持つテント、および空気浄化装置の３次元概略図を示す。
【図５】基台、保持構造を持たないテント、および空気浄化装置の３次元概略図を示す。
【図６】基台、空気浄化装置、および別のテント懸架方法の３次元概略図を示す。
【図７】空気浄化装置の一実施形態の概略断面図を示す。
【発明を実施するための形態】
【００３５】
図１は、図２に示される意図された気流を有する、本発明の一例を２次元図で示す。半透性材料１００から作られたテント状天蓋（テント）１は、基台の側壁の縁部を覆う材料を用いて基台２上に懸架されて、両者が封包空間７を形成する。材料内の折り目により、図４に示すテントの実施形態では２４と示されている、ここでは２つの側面１０および１１上に示されている基台側壁の周りを空気が容易に通過することが可能になる。テント状天蓋（テント）は、１つ以上の位置に懸架された略平坦な可撓性布シートなどの種々の方法で実現することができる。布シートは、基台またはベッドを封包するように下方に延びている。テントの更なる実施形態を図４、図５、および図６に示す。これらのテントの実施形態は、対応するベッドまたは基台に合うように、より個別対応された設計を有する。
【００３６】
テントの好ましい実施形態において、半透性材料は、封包空間とテントを囲む空気との間の圧力差に晒されたときに空気を通過させるような繊維および密度で織られた布から作られる。空気浄化装置は、テントの外部から封包空間に空気を導くように配置されているため、使用中の圧力は封包空間内では周囲空気よりわずかに高くなり、テントを囲む汚い空気が、基台またはベッドの周りの折り目に形成された開口部または半透性材料を介して封包空間に入るのを防止する。
【００３７】
天蓋は、空気浄化装置３内に懸架されてもよく、空気浄化装置３は、ファン４と、フィルタ５と、空気浄化装置内部の意図された位置に空気浄化装置の種々の構成要素を支持するように配置された構造６とを備えてもよい。ファンおよびフィルタの配置、およびフィルタのタイプは異なってもよい。一方、空気浄化装置は、例えば、紐体、ワイヤ、チェーン、または任意の適切な同等物を使用して天井フックに取り付けられた適切な懸架装置８によって懸架される。好ましい実施形態において、天蓋に取り付けられた構造体９、すなわち環状の剛性支持体は、空気浄化装置から半透性材料を保持し、ユーザのためにより大きな封包空間を提供する。なお、空気浄化装置には、封包体の外側に延びるか、または封包体の内側に落下させたケーブルによって低圧電力を供給することができる。
【００３８】
図２は、本発明に係るテントの同じ実施形態を示す。汚れた室内空気は、封包体の外側に位置する空気浄化装置の部分１２に入る。浄化された空気は、空気浄化装置を通過して封包空間１３に排出される。封包体内への空気の比較的低いが安定した供給は、封包空間に正の圧力差をもたらし、それによって封包体の空気を、基台の側面、すなわち図における２つの側面１５および１６の周りに形成された半透性材料の折り目によって形成される複数の開口部を通して室内に押し出す。空気はまた、半透性材料と、参照符号１７および１８で示す２つの側面とを介し、また図４に示す封包体の完全密閉されていない開口部２５を通過して封包空間から出る。
【００３９】
テント材料の半透性により、基台側面の周りの出口および入口開口部が完全に密閉された場合でも、清浄な空気を封包体から排出することができ、様々な条件および様々なユーザの操作においても安定した性能を保証する。さらに、封包体内部の正の圧力は、汚い室内空気が前記空気浄化装置以外を通過して封包体に入るのを妨げる。
【００４０】
図３は、図１および図２に示すテントの第２の実施形態を示す。本実施形態において、空気浄化装置３５は、濾過効率を高めるために粒子帯電要素、例えば高電圧イオン化装置を備える。本実施形態に係る空気浄化装置は、図７に詳細に示されており、以下の詳細な説明によりさらに説明される。本発明の本実施形態において、使用するフィルタのタイプは高効率バッグフィルタ３６である。
【００４１】
図４は、本発明に係るテントの一例を３次元図で示す。本発明の本実施形態において、基台２３上にテント２２を保持する構造２１は、円形の形状であってもよい。システムは、構造２１と空気浄化装置１９との間の封包体２７の上面のテント材料の張力によって保持されてもよく、空気浄化装置１９は天井２０に懸架されてもよい。
【００４２】
本発明の図示された実施形態において、封包空間は半透性材料の一または複数の開口部２５を通過して入ってもよい。一または複数の開口部は、開口部２５の各側面２６に固定具を追加することによって閉鎖してもよい。これらの固定具は、磁石、ファスナ、面ファスナバンド、ポップボタン、またはボタンおよび穴から構成されてもよい。本発明の一実施形態において、開口部を閉鎖するために開口部側面２６を十分に覆うだけのテント材料が存在してもよい。なお、テント材料表面の摩擦は、側面を定位置に保持することになる。
【００４３】
本発明の一実施形態において、テントの上面２７は、封包体の側面より透過性の低い材料から構成されてもよい。これにより、清浄な空気が上面を通過して排出されるのを防ぎ、空気浄化装置内に短絡される清浄な空気の量が減少する。
【００４４】
図５は、半透性テント２８が空気浄化装置２９に直接固定されてもよい、本発明の実施形態の一例を示す。
【００４５】
図６は、半透性テントが複数の固定点３１，３２，３３，３４において紐体または同等の固定具によって懸架されてもよい、本発明の実施形態の一例を示す。固定点は、天井、壁、またはベッドポールのような他の構造から構成されてもよい。空気浄化装置３０は、テントの上面材料の張力によって懸架されてもよい。
【００４６】
図７において、空気浄化装置の一実施形態をさらに詳細に示す。空気浄化装置７０は、空気浄化装置の種々の構成要素を支持するように配置された支持構造７１を備える。支持構造は、略円形のハウジング７２として設計されている。支持装置には、上向きになるように意図された上面７３と、下向きになるように意図された下面７４とが設けられている。上面には空気入口７５が配置されている。次いで、空気は、封包空間内部に配置された空気出口８６まで垂直下方に延びる略円形の通路７５を通過する。通路７６において、ファン７７は、空気浄化装置７０を通過する所望の空気流れを生成するように配置されている。ファンの下流には、粒子帯電要素７８が、空気浄化装置を通過する空気中の粒子を帯電させるように配置されている。帯電粒子は、続いて、フィルタ８３の粒子捕捉効率を高めるように適合されたフィルタ８３に収集される。エアフィルタ８３は、空気出口を封包し空気浄化装置７０から封包体の内部に延びる粒子フィルタバッグとして実現される。
【００４７】
粒子帯電要素７８は、前記フィルタの上流に配置されたイオン化装置から構成され、前記イオン化装置は、コレクタ電極７９とエミッタ電極８０とを備える。コレクタ（アノード）電極７９は、空気浄化装置内に延びる通路７５の周りに配置され、エミッタ電極、すなわちカソードイオン化装置チップは、この通路の中心に配置されている。
【００４８】
空気浄化装置はさらに、意図しない大きな物品が空気入口に入ることを防止するように配置された空気入口格子８４と、ファンの入口格子とは反対側に配置された出口安全格子８５とを備える。
【００４９】
さらに、空気出口の周りに配置された環状フード８６が、清浄な空気をユーザの意図された位置に向ける、すなわち基台に向けるように配置されている。さらに、ハウジング７２からフランジ８７が延びる。フランジは、空気浄化装置へのテントの嵌合を容易にするように意図されている。好ましくは、テントとハウジング７２との間に所望の防漏密閉を実現するのを容易にするために、ハウジング７２の外部のサイズおよび形状に対応する形状およびサイズを持つ開口部がテントに形成される。
【００５０】
本発明は図示され上述された実施形態に限定されるものではないことは、当業者に明らかである。むしろ、添付の特許請求の範囲の範囲内で多くの変更および変形が可能である。
【００５１】
例えば、基台は、上述したのと同じ方法で半透性材料がベッド状の基台の縁部を覆う、スラット加工されたかまたはネットで覆われた側壁を有するベビーベッドから構成されてもよい。
【００５２】
さらに、空気浄化装置は、触媒化学吸着と同様に静電濾過、光触媒酸化濾過、および活性炭ガス吸着などの別の濾過方法に合わせてもよい。
【００５３】
加えて、開示された実施形態に対する変形は、図面、明細書、および添付の特許請求の範囲を研究することにより、特許請求された発明を実施する際に当業者によって理解され、達成され得る。特許請求の範囲において、「備える（ｃｏｍｐｒｉｓｉｎｇ）」という単語は他の要素またはステップを排除するものではなく、また不定冠詞「ａ」または「ａｎ」は複数を除外するものではない。特定の手段が相互に異なる従属請求項に列挙されているという単なる事実は、これらの手段の組み合わせが有利に使用できないことを示すものではない。
【図１】
2019522768.tif 000003
【図２】
2019522768.tif 000004
【図３】
2019522768.tif 000005
【図４】
2019522768.tif 000006
【図５】
2019522768.tif 000007
【図６】
2019522768.tif 000008
【図７】
2019522768.tif 000009
【手続補正書】
【提出日】平成31年2月13日(2019.2.13)
【手続補正１】
【補正対象書類名】特許請求の範囲
【補正対象項目名】全文
【補正方法】変更
【補正の内容】
【特許請求の範囲】
【請求項１】
少なくとも部分的に半透性の可撓性材料から作られ、前記材料が基台（２）を封包して封包空間を作り出すように前記基台の上方に懸架されうるテント（１）と、
前記テント内に配置され、前記封包空間の外部に配置された空気入口（７５）、および前記封包空間の内部に配置された空気出口（８６）を含む空気浄化装置（３，１９，３９，３０，７０）と
を含み、
前記封包空間が清浄な空気で満たされるように、空気が前記テントの外部から前記空気浄化装置を通過して前記封包空間に流入する、空気浄化テント。
【請求項２】
前記テントが前記空気浄化装置から下方に延びて前記基台を封包するように、前記空気浄化装置内に固定された懸架装置（８）を含む、請求項１に記載の空気浄化テント。
【請求項３】
前記空気浄化装置（３，１９，３９，３０，７０）は上側（７３）および下側（７４）を含み、前記空気入口は、空気が前記入口に入り、前記空気浄化装置において略垂直下方に流れ、前記装置の前記下側で前記空気浄化装置を出るように、前記空気浄化装置の前記上側に配置される、請求項１または２に記載の空気浄化テント。
【請求項４】
前記テントは、一人または複数のユーザが前記封包体に入ることができる閉鎖可能な一または複数の開口部（２５）を有する、請求項１〜３のいずれか一項に記載の空気浄化テント。
【請求項５】
前記空気浄化装置（３，１９，３９，３０，７０）は、フィルタ（５，３６，８３）と、ファン（４，７７）または送風機と、それらを保持する構造（６，７２）とを含む、請求項１〜４のいずれか一項に記載の空気浄化テント。
【請求項６】
前記フィルタ（５，３６，８３）は、前記ファン（４，７７）または送風機の下流に配置される、請求項５に記載の空気浄化テント。
【請求項７】
前記フィルタ（５，３６，８３）は、ガス状汚染物質を吸着するための活性炭要素を含む、請求項５または６に記載の空気浄化テント。
【請求項８】
前記空気浄化装置（７０）は、前記空気浄化装置を通過する空気中の粒子を帯電させる粒子帯電要素（７８）と、前記フィルタの粒子捕捉効率を高めるように適合されたフィルタ（８３）とを含む、請求項１〜７のいずれか一項に記載の空気浄化テント。
【請求項９】
前記空気浄化装置の前記エアフィルタ（８３）は、前記空気出口を封包し前記空気浄化装置から前記封包空間の内部に延びる粒子フィルタバッグとして実現される、請求項５または８に記載の空気浄化テント。
【請求項１０】
前記粒子帯電要素（７８）は、前記フィルタの上流に配置されたイオン化装置から構成され、前記イオン化装置はコレクタ電極（７９）およびエミッタ電極（８０）を備え、前記コレクタ電極は、前記空気浄化装置内に延びる空気通路（７６）の周りに配置されており、前記エミッタ電極は前記空気通路の中心に配置される、請求項８に記載の空気浄化テント。
【国際調査報告】
2019522768.tif 000010
2019522768.tif 000011
2019522768.tif 000012
2019522768.tif 000013